(57)【要約】【課題】  表示部に必要な情報を必要なときに自動的に表示することが可能なＸ線撮影装置を提供する。【解決手段】  患者Ａが認識されれば、表示部７に患者Ａの氏名と患者Ａの生年月日からなる患者Ａの情報を表示する。操作者Ｂが認識されれば、表示部７にＸ線撮影画像と患者Ａの氏名とを表示する。Ｘ線撮影画像の表示後、一定時間が経過すれば、表示部７に次の撮影条件を表示する。一方、表示部７にＸ線撮影画像が表示されている状態において、患者Ａを認識した場合には、表示部７に表示されたＸ線撮影画像の表示を中止する。【選択図】        図２
2013153812.tif 000002
【特許請求の範囲】
【請求項１】
Ｘ線管と、前記Ｘ線管から照射され被検者を通過したＸ線を撮影するＸ線検出器とを備えたＸ線撮影装置において、
被検者の情報、Ｘ線撮影条件およびＸ線撮影画像を表示する表示部と、
被検者および操作者を撮影するカメラと、
被検者および操作者の画像情報を記憶する記憶部と、
前記カメラにより撮影した画像と前記記憶部に記憶した画像情報とに基づいて、被検者または操作者を認識する認識部と、
前記認識部により認識した結果に基づいて、前記表示部に表示する情報を選択する表示情報選択部と、
を備えたことを特徴とするＸ線撮影装置。
【請求項２】
請求項１に記載のＸ線撮影装置において、
前記記憶部は、被検者または操作者の顔の画像情報、被検者または操作者の服装の画像情報、または、被検者または操作者が装着するマークの画像情報を記憶するＸ線撮影装置。
【請求項３】
請求項２に記載のＸ線撮影装置において、
前記認識部が被検者を認識したときには、前記表示部に当該被検者の情報を表示するＸ線撮影装置。
【請求項４】
請求項２に記載のＸ線撮影装置において、
前記認識部が操作者を認識したときには、前記表示部にＸ線撮影条件またはＸ線撮影画像を表示するＸ線撮影装置。
【請求項５】
請求項４に記載のＸ線撮影装置において、
前記表示部にＸ線撮影画像を表示しているときに、前記認識部が被検者を認識したときには、前記Ｘ線撮影画像の表示を中止するＸ線撮影装置。
【請求項６】
請求項１から請求項５のいずれかに記載のＸ線撮影装置において、
前記認識部が、一定時間の間に被検者および操作者を認識しない場合には、前記表示部に次に撮影するＸ線撮影条件を表示するＸ線撮影装置。
【請求項７】
請求項１から請求項５のいずれかに記載のＸ線撮影装置において、
前記認識部が、操作者に装着された遷移マークを認識したときには、前記表示部に次に撮影を行うＸ線撮影条件を表示するＸ線撮影装置。
【発明の詳細な説明】
【技術分野】
【０００１】
この発明は、Ｘ線管と、このＸ線管から照射され被検者を通過したＸ線を撮影するＸ線検出器と、被検者の情報、Ｘ線撮影条件およびＸ線撮影画像等を表示する表示部とを備えたＸ線撮影装置に関する。
【背景技術】
【０００２】
このようなＸ線撮影装置においては、撮影台や壁に装着されたＬＣＤ（Ｌｉｑｕｉｄ  Ｃｒｙｓｔａｌ  Ｄｉｓｐｌａｙ：液晶ディスプレイ）等の表示部に対して、被検者の情報、Ｘ線撮影条件およびＸ線撮影画像等のＸ線撮影に必要な情報を表示するようにしている。特許文献１には、被検者に関する情報や、医用画像の撮影条件または治療条件に関する情報のうち、少なくとも被検者名を表示する表示装置を医用装置の近傍に設けた被検者確認装置が開示されている。
【先行技術文献】
【特許文献】
【０００３】
【特許文献１】特開２００３−５２６４１号公報
【発明の概要】
【発明が解決しようとする課題】
【０００４】
被検者の情報やＸ線撮影条件等のＸ線撮影に必要な情報や、Ｘ線撮影画像は、必要なときにＬＣＤ等の表示部に表示されることが好ましい。従来においては、操作者（オペレータ）がタッチパネル式のＬＣＤの画面上に表示された操作ボタンを操作すること等により、表示部に表示される表示内容を選択していた。このため、操作者が直接ＬＣＤを操作する必要があることから、ＬＣＤを操作者による操作に適した場所に設置する必要がある。また、ＬＣＤの画面上に操作ボタン等を表示する必要があることから、ＬＣＤの画面サイズを、それらの表示に適したように大サイズとする必要がある。さらには、ＬＣＤ上にＸ線撮影画像が表示されている場合には、被検者がこれを視認する可能性がある。この場合には、被検者がＸ線撮影画像に基づいて、自ら誤った診断を行い誤解を生ずる可能性があることから、Ｘ線撮影画像は被検者には視認不可能とすることが好ましい。
【０００５】
この発明は上記課題を解決するためになされたものであり、表示部に必要な情報を必要なときに自動的に表示することが可能なＸ線撮影装置を提供することを目的とする。
【課題を解決するための手段】
【０００６】
請求項１に記載の発明は、Ｘ線管と、前記Ｘ線管から照射され被検者を通過したＸ線を撮影するＸ線検出器とを備えたＸ線撮影装置において、被検者の情報、Ｘ線撮影条件およびＸ線撮影画像を表示する表示部と、被検者および操作者を撮影するカメラと、被検者および操作者の画像情報を記憶する記憶部と、前記カメラにより撮影した画像と前記記憶部に記憶した画像情報とに基づいて、被検者または操作者を認識する認識部と、前記認識部により認識した結果に基づいて、前記表示部に表示する情報を選択する表示情報選択部とを備えたことを特徴とする。
【０００７】
請求項２に記載の発明は、請求項１に記載の発明において、前記記憶部は、被検者または操作者の顔の画像情報、被検者または操作者の服装の画像情報、または、被検者または操作者が装着するマークの画像情報を記憶する。
【０００８】
請求項３に記載の発明は、請求項２に記載の発明において、前記認識部が被検者を認識したときには、前記表示部に当該被検者の情報を表示する。
【０００９】
請求項４に記載の発明は、請求項２に記載の発明において、前記認識部が操作者を認識したときには、前記表示部にＸ線撮影条件またはＸ線撮影画像を表示する。
【００１０】
請求項５に記載の発明は、請求項４に記載の発明において、前記表示部にＸ線撮影画像を表示しているときに、前記認識部が被検者を認識したときには、前記Ｘ線撮影画像の表示を中止する。
【００１１】
請求項６に記載の発明は、請求項１から請求項５のいずれかに記載の発明において、前記認識部が、一定時間の間に被検者および操作者を認識しない場合には、前記表示部に次に撮影するＸ線撮影条件を表示する。
【００１２】
請求項７に記載の発明は、請求項１から請求項５のいずれかに記載の発明において、前記認識部が、操作者に装着された遷移マークを認識したときには、前記表示部に次に撮影を行うＸ線撮影条件を表示する。
【発明の効果】
【００１３】
請求項１および請求項２に記載の発明によれば、カメラにより撮影した画像と記憶部に記憶した画像情報とに基づいて被検者または操作者を認識し、その結果に基づいて表示部に表示する情報を選択することから、操作者が特別な操作を実行することなく、表示部に必要な情報を必要なときに自動的に表示することが可能となる。
【００１４】
請求項３に記載の発明によれば、被検者の情報を表示部に自動的に表示することにより、被検者自らが自分の情報を確認することができる。
【００１５】
請求項４に記載の発明によれば、表示部に自動的にＸ線撮影条件またはＸ線撮影画像を表示することにより、操作者がＸ線撮影条件またはＸ線撮影画像を確認することが可能となる。
【００１６】
請求項５に記載の発明によれば、認識部が被検者を認識したときにＸ線撮影画像の表示を中止することから、被検者がＸ線撮影画像を視認することを防止することが可能となる。
【００１７】
請求項６に記載の発明によれば、操作者に装着された遷移マークを認識することにより、操作者が特別な操作を実行することなく、表示部に次に撮影を行うＸ線撮影条件を自動的に表示することが可能となる。
【図面の簡単な説明】
【００１８】
【図１】この発明に係るＸ線撮影装置を使用してＸ線撮影を行う様子を示す説明図である。
【図２】この発明に係るＸ線撮影装置を使用してＸ線撮影を行う様子を示す説明図である。
【図３】この発明に係るＸ線撮影装置を使用してＸ線撮影を行う様子を示す説明図である。
【図４】この発明に係るＸ線撮影装置の主要な制御系を示すブロック図である。
【図５】この発明に係るＸ線撮影装置による撮影動作を示すフローチャートである。
【図６】この発明に係るＸ線撮影装置による撮影動作を示すフローチャートである。
【図７】Ｘ線撮影時に、表示部７に表示される情報を示す説明図である。
【発明を実施するための形態】
【００１９】
以下、この発明の実施の形態を図面に基づいて説明する。図１から図３は、この発明に係るＸ線撮影装置を使用してＸ線撮影を行う様子を示す説明図である。なお、図１は、被検者としての患者Ａが撮影室内に入った状態を、また、図２は、患者Ａと操作者Ｂとが撮影室内に入った状態を、さらに、図３は、操作者Ｂが遷移マーク９を装着した状態を示している。
【００２０】
これらの図に示すように、このＸ線撮影装置は、患者Ａを起立姿勢で撮影するための立位スタンド１と、患者Ａを横たわらせた状態で撮影するための臥位テーブル２と、Ｘ線管３と、このＸ線管３を天井面から昇降可能な状態で懸垂保持する懸垂保持部４と、Ｘ線管３を天井面に沿って水平移動させる水平移動部５とを備える。Ｘ線管３は、懸垂保持部４および水平移動部５により、これらの図において実線で示す位置と二点鎖線で示す位置とへ移動可能に構成されている。ここで、これらの図において実線で示す位置は、立位スタンド１によりＸ線撮影を実行する位置である。また、これらの図において二点鎖線で示す位置は、臥位テーブル２によりＸ線撮影を実行する位置である。
【００２１】
立位スタンド１は、Ｘ線検出器としてのフラットパネルディテクタ６を収納するＸ線検出器収納部１１を備える。このＸ線検出器収納部１１は、図示しないガイド部材に案内されることにより、ケーシング１２に対して昇降可能となっている。また、臥位テーブル２は、基台２１と、患者Ａを載置するテーブル２２と、基台２１内に配設された立位スタンド１と同様のフラットパネルディテクタ６を収納する図示しないＸ線検出器収納部とを備える。
【００２２】
立位スタンド１および臥位テーブル２を設置した撮影室の側壁には、患者Ａの情報、Ｘ線撮影条件およびＸ線撮影画像等を表示するための、タッチパネル式の液晶表示装置等からなる表示部７が配設されている。そして、この表示部７には、患者Ａおよびレントゲン技師等の操作者Ｂを撮影するためのカメラ８が付設されている。
【００２３】
図４は、この発明に係るＸ線撮影装置の主要な制御系を示すブロック図である。
【００２４】
このＸ線撮影装置は、装置全体を制御する制御部３０を備える。この制御部３０は、Ｘ線管３およびフラットパネルディテクタ６と接続されている。また、この制御部３０は、表示部７およびカメラ８と接続されている。さらに、この制御部３０は、患者Ａおよび操作者Ｂの画像情報を記憶するための記憶部３１とも接続されている。
【００２５】
また、この制御部３０は、画像処理部３２と、認識部３３と、表示情報選択部３４とを備える。画像処理部３２は、フラットパネルディテクタ６から得た映像信号をもとにＸ線撮影画像を作成し、表示部７に表示するためのものである。認識部３３は、後述するように、カメラ８により撮影した画像と記憶部３１に記憶した画像情報とに基づいて、患者Ａおよび操作者Ｂを認識する認識部３３と、この認識部３３により認識した結果に基づいて表示部７に表示する情報を選択する表示情報選択部３４とを備える。
【００２６】
次に、この発明に係るＸ線撮影装置による撮影動作について説明する。図５および図６は、この発明に係るＸ線撮影装置による撮影動作を示すフローチャートである。また、図７は、そのときに表示部７に表示される情報を示す説明図である。なお、この実施形態においては、立位スタンド１を利用してＸ線撮影を実行する場合を示している。
【００２７】
Ｘ線撮影を実行する前には、予め、患者Ａまたは操作者Ｂの画像情報を撮影し、記憶部３１に記憶しておく。この画像情報は、患者Ａおよび操作者Ｂを特定するためのものである。この画像情報としては、患者Ａおよび操作者Ｂの顔の画像情報を使用することができる。また、顔の画像情報に替えて、あるいは、顔の画像情報とともに、患者Ａおよび操作者Ｂの服装の画像情報を使用することができる。さらに、後述する遷移マーク９の画像情報も、あわせて記憶部３１に記憶しておく。
【００２８】
Ｘ線撮影を実行する前には、予め、患者Ａまたは操作者Ｂの画像情報を撮影し、記憶部３１に記憶しておく。この画像情報は、患者Ａおよび操作者Ｂを特定するためのものである。この画像情報としては、患者Ａおよび操作者Ｂの顔の画像情報を使用することができる。また、顔の画像情報に替えて、あるいは、顔の画像情報とともに、患者Ａおよび操作者Ｂの画像情報を使用することができる。さらに、後述する遷移マーク９の画像情報についても、これを撮影し、記憶部３１に記憶しておく。
【００２９】
画像情報の記憶が完了すれば、撮影準備を行う。図５に示すフローチャートは、Ｘ線撮影を実行する前の撮影準備動作を示している。
【００３０】
最初に、カメラ８により撮影室内の画像を撮影することにより、患者Ａおよび操作者Ｂの認識を開始する(ステップＳ１１)。カメラ８により患者Ａまたは操作者Ｂが撮影された場合には、撮影された画像と記憶部３１に記憶した患者Ａまたは操作者Ｂの画像情報とを比較する。そして、その比較結果に基づいて患者Ａが認識されるのを待つ(ステップＳ１２)。認識部３３により患者Ａが認識されれば(ステップＳ１２)、図７(ａ)に示すように、表示情報選択部３４が、表示部７に患者Ａの氏名と患者Ａの生年月日からなる患者Ａの情報を表示する(ステップＳ１３）。これにより、患者Ａが自己の情報を認識することで、本人確認を実行することが可能となる。
【００３１】
次に、操作者Ｂが認識されるのを待つ(ステップＳ１４)。認識部３３により操作者Ｂが認識されれば(ステップＳ１４)、図７(ｂ)に示すように、表示情報選択部３４が、表示部７にＸ線管３に供給する管電圧および管電流と、撮影部位とからなるＸ線撮影条件を表示する(ステップＳ１５）。以上の動作により、Ｘ線撮影を実行する前の撮影準備動作が終了する。
【００３２】
以上の準備工程が完了すれば、次に、Ｘ線撮影を実行する。図６に示すフローチャートは、Ｘ線撮影を含む一連の動作を示している。
【００３３】
この場合には、再度、患者Ａおよび操作者Ｂの認識を開始し(ステップＳ２１)、再度、患者Ａが認識されるのを待つ（ステップＳ２２)。認識部３３により患者Ａが認識されれば(ステップＳ２２)、図７(ａ）に示すように、表示情報選択部３４が、表示部７に患者Ａの氏名と患者Ａの生年月日からなる患者Ａの情報を表示する（ステップＳ２３）。これにより、再度、本人確認を実行することが可能となる。次に、操作者Ｂが認識されるのを待つ(ステップＳ２４)。認識部３３により操作者Ｂが認識されれば(ステップＳ２４)、図７(ｃ）に示すように、表示情報選択部３４が、表示部７にＸ線撮影画像１０と患者Ａの氏名とを表示する（ステップＳ２５）。操作者Ｂは、このＸ線撮影画像１０を確認することにより、Ｘ線撮影の適否を判断することができる。
【００３４】
Ｘ線撮影画像１０の表示後、一定時間が経過すれば(ステップＳ２６）、図７(ｄ)に示すように、表示情報選択部３４が、表示部７に次の撮影条件を表示する(ステップＳ３０)。この実施形態においては、Ｘ線管３に供給する管電圧および管電流と、撮影部位とからなるＸ線撮影条件とともに、撮影が完了した先の撮影条件が表示されている。
【００３５】
また、Ｘ線撮影画像１０の表示後、一定時間が経過する前であっても、図３に示すように、操作者が遷移マーク９を装着し、認識部３３がこの遷移マーク９を認識したときには(ステップＳ２７)、表示情報選択部３４が、表示部７に次の撮影条件を表示する(ステップＳ３０)。ここで、遷移マーク９とは、Ｘ線撮影時に工程を次にすすめるためのマークである。この遷移マーク９は、操作者Ｂが必要なときに装着してもよく、また、予め装着しておいたものを裏返す等により、遷移マーク９をカメラ８に撮影可能な状態とするようにしてもよい。
【００３６】
一方、表示部７にＸ線撮影画像１０が表示されている状態において、カメラ８により撮影した画像から認識部３３が患者Ａを認識した場合には(ステップＳ２８)、表示情報選択部３４は表示部７に表示されたＸ線撮影画像１０の表示を中止する（ステップＳ２９）。これにより、患者Ａが自分のＸ線撮影画像を視認することを防止することが可能となる。
【００３７】
以上のように、この発明に係るＸ線撮影装置によれば、操作者Ｂが特別な操作を実行することなく、表示部７に必要な情報を必要なときに自動的に表示することが可能となる。このため、表示の切り替え作業が不要となるばかりではなく、タッチパネル式の液晶表示装置からなる表示部７の操作面に切替のためのボタンを設ける必要がないことから、表示部７として比較的小型のタッチパネル式の液晶表示装置を使用することが可能となる。また、操作者Ｂが表示部７に表示される操作ボタンを操作する必要がないことから、表示部７を操作者Ｂが見やすい高い位置に設置することも可能となる。
【００３８】
次に、この発明の他の実施形態について説明する。上述した実施形態においては、患者Ａおよび操作者Ｂを特定するため画像情報として、患者Ａおよび操作者Ｂの顔の画像情報、あるいは、患者Ａおよび操作者Ｂの服装の画像情報を使用している。これに対して、この実施形態においては、患者Ａおよび操作者Ｂに対して、予め、マークを取り付けるようにするというものである。
【００３９】
すなわち、この実施形態においては、患者Ａには患者専用のマークを装着し、操作者Ｂには操作者専用のマークを装着する。患者Ａおよび操作者Ｂに取り付けるこれらのマークは、遷移マーク９と同様、Ｘ線撮影に先だって、これらのマークの画像情報を撮影し、記憶部３１に記憶しておく。患者用のマークを記憶するときには、そのマークを装着する患者の氏名や生年月日等のデータも、併せて記憶しておく。
【００４０】
このように、患者Ａおよび操作者Ｂにマークを取り付けた場合においても、このマークの画像情報を認識することにより、患者Ａおよび操作者Ｂの顔の画像情報や服装の画像情報を認識する場合と同様、自動的に患者Ａまたは操作者Ｂを認識して、表示部７に必要な情報を必要なときに自動的に表示することが可能となる。
【符号の説明】
【００４１】
１      立位スタンド
２      臥位テーブル
３      Ｘ線管
４      懸垂保持部
５      水平移動部
６      フラットパネルディテクタ
７      表示部
８      カメラ
９      遷移マーク
１０    Ｘ線撮影画像
３０    制御部
３１    記憶部
３２    画像処理部
３３    認識部
３４    表示情報選択部
Ａ      患者
Ｂ      操作者
【図１】
2013153812.tif 000003
【図２】
2013153812.tif 000004
【図３】
2013153812.tif 000005
【図４】
2013153812.tif 000006
【図５】
2013153812.tif 000007
【図６】
2013153812.tif 000008
【図７】
2013153812.tif 000009